(57)【要約】      （修正有）【課題】機器の機能の設定の入力時において操作ミスを抑制することが可能な入力装置を提供する。【解決手段】入力装置１は機器の機能の実行及び設定に係る入力を受け付ける装置であって、表示部２と、タッチ領域のタッチされた位置を検知するためのタッチ操作部３と、タッチ操作部３の出力に基づきタッチ領域に対するタッチ操作を判定するとともに表示部２の表示を切り替える制御部１０と、を備える。制御部１０は、機器の機能の実行に係る入力を受け付けた場合に、機能の設定に係る操作をタッチ領域の全体の任意の位置で検知する。【選択図】図１
2018124874.tif 000002
【特許請求の範囲】
【請求項１】
機器の機能の実行及び設定に係る入力を受け付ける入力装置であって、
表示部と、
タッチ領域のタッチされた位置を検知するためのタッチ操作部と、
前記タッチ操作部の出力に基づき前記タッチ領域に対するタッチ操作を判定するとともに前記表示部の表示を切り替える制御部と、
を備え、
前記制御部は、前記機能の実行に係る入力を受け付けた場合に、前記機能の設定に係る操作を前記タッチ領域の全体の任意の位置で検知することを特徴とする入力装置。
【請求項２】
前記表示部が、前記機能に係る機能画像を表示し、
前記制御部は、前記機能の実行に係る前記入力として前記機能画像の選択を受け付けた場合に、前記機能画像に対応する前記機能の設定に係る操作を前記タッチ領域の全体の任意の位置で検知することを特徴とする請求項１に記載の入力装置。
【請求項３】
前記機能に対する操作履歴を記憶する記憶部を備え、
前記制御部は、前記機能画像の選択を受け付けた場合に、前記記憶部に記憶された前記機能に対する前記操作履歴に基づき前記機能の設定を推定し、推定した当該設定に係る操作を前記タッチ領域の全体の任意の位置で検知することを特徴とする請求項２に記載の入力装置。
【請求項４】
音声が入力される音声入力部と、
前記音声入力部を介して取得した音声データを認識する音声認識部と、
前記音声認識部が認識した音声データが前記機能に該当するか否かを判定する機能判定部と、
を備え、
前記制御部は、前記音声入力部から入力されて前記音声認識部が認識した音声が前記機能に該当することを前記機能判定部が判定した場合に、前記機能の設定に係る操作を前記タッチ領域の全体の任意の位置で検知することを特徴とする請求項１に記載の入力装置。
【請求項５】
外部から機器の機能の実行に係る入力を受け付ける通信部を備え、
前記制御部は、前記通信部を介して前記機能の実行に係る入力を受け付けた場合に、前記機能の設定に係る操作を前記タッチ領域の全体の任意の位置で検知することを特徴とする請求項１に記載の入力装置。
【請求項６】
前記機能が周囲環境の状態変化に対応するための機能であって、
周囲環境の状態変化に係る情報が入力される通信部を備え、
前記制御部は、前記通信部を介して前記機能の実行に係る前記入力としての周囲環境の状態変化に係る情報を受け付けた場合に、前記機能の設定に係る操作を前記タッチ領域の全体の任意の位置で検知することを特徴とする請求項１に記載の入力装置。
【請求項７】
前記制御部は、周囲環境の状態変化に係る情報を受け付けた場合に、当該情報を前記表示部に表示させ、前記機能の設定に係る操作を前記タッチ領域の全体の任意の位置で検知することを特徴とする請求項６に記載の入力装置。
【請求項８】
音声を出力する音声出力部を備え、
前記制御部は、周囲環境の状態変化に係る情報を受け付けた場合に、当該情報に係る音声を前記音声出力部から出力させ、前記機能の設定に係る操作を前記タッチ領域の全体の任意の位置で検知することを特徴とする請求項６に記載の入力装置。
【請求項９】
前記制御部は、前記機能の実行に係る入力を受け付けた場合に、予め定めた所定期間の間、前記機能の設定に係る操作を前記タッチ領域の全体の任意の位置で検知することを特徴とする請求項１〜請求項８のいずれかに記載の入力装置。
【請求項１０】
前記制御部は、前記タッチ領域の所定の第１方向に対するタッチ操作と、前記第１方向に交差する第２方向に対するタッチ操作と、を区別して認識し、各々の操作を個別の設定に係る入力として検知することを特徴とする請求項１〜請求項９のいずれかに記載の入力装置。
【請求項１１】
前記制御部は、前記タッチ領域の所定の第１方向に対するタッチ操作を前記機能の設定に係る入力として検知し、さらに前記第１方向に交差する第２方向に対するタッチ操作に応じて当該設定の変化率を異ならせることを特徴とする請求項１〜請求項９のいずれかに記載の入力装置。
【請求項１２】
機器の機能の実行及び設定に係る入力を受け付ける入力方法であって、
前記機能の実行に係る入力を受け付ける工程と、
実行に係る入力を受け付けた前記機能の設定に係る操作をタッチ操作部のタッチ領域の全体の任意の位置で検知する工程と、
を含むことを特徴とする入力方法。
【請求項１３】
機器の機能の実行及び設定に係る入力を受け付ける入力プログラムであって、
コンピュータに、
前記機能の実行に係る入力を受け付ける処理と、
実行に係る入力を受け付けた前記機能の設定に係る操作をタッチ操作部のタッチ領域の全体の任意の位置で検知する処理と、
を実行させることを特徴とする入力プログラム。
【発明の詳細な説明】
【技術分野】
【０００１】
本発明は、入力装置、入力方法及び入力プログラムに関する。
【背景技術】
【０００２】
昨今、自動車のナビゲーション装置や金融機関のＡＴＭ端末、駅の券売機、携帯ゲーム機、スマートフォン、タブレット端末等の幅広い分野で入力装置が用いられている。これらは、対応する機器の機能の実行及び設定に係る入力を、例えばタッチ操作部から受け付ける。このような入力装置の従来技術の一例が特許文献１に開示されている。
【０００３】
特許文献１に記載された従来のスライドバー表示制御装置は表示部と、表示部を覆うタッチパネルである入力部と、を備える。表示部は所定の機能の設定に係るスライドバーを表示する。この装置は、表示部が表示した第１スライドバーが所定時間タッチされると、第１スライドバーとは設定値の変動量が異なる第２スライドバーを表示部に表示する。これにより、設定値の微調整を容易に行うことができる。
【先行技術文献】
【特許文献】
【０００４】
【特許文献１】特許第５３８７５８５号公報
【発明の概要】
【発明が解決しようとする課題】
【０００５】
しかしながら、特許文献１に記載の従来技術は機器の設定の入力に用いるスライドバーの画像が画面（タッチ領域）全体に対して比較的小さいことで、当該スライドバーの画像にうまく触れることができない虞があることが課題であった。これにより、操作ミスが起こることが懸念された。
【０００６】
本発明は、上記の課題に鑑みなされたものであり、機器の機能の設定の入力時において操作ミスを抑制することが可能な入力に係る技術を提供することを目的とする。
【課題を解決するための手段】
【０００７】
本発明に係る入力装置は、機器の機能の実行及び設定に係る入力を受け付ける入力装置であって、表示部と、タッチ領域のタッチされた位置を検知するためのタッチ操作部と、前記タッチ操作部の出力に基づき前記タッチ領域に対するタッチ操作を判定するとともに前記表示部の表示を切り替える制御部と、を備え、前記制御部は、前記機能の実行に係る入力を受け付けた場合に、前記機能の設定に係る操作を前記タッチ領域の全体の任意の位置で検知する構成（第１の構成）である。
【０００８】
また、上記第１の構成の入力装置において、前記表示部が、前記機能に係る機能画像を表示し、前記制御部は、前記機能の実行に係る前記入力として前記機能画像の選択を受け付けた場合に、前記機能画像に対応する前記機能の設定に係る操作を前記タッチ領域の全体の任意の位置で検知する構成（第２の構成）であっても良い。
【０００９】
また、上記第２の構成の入力装置において、前記機能に対する操作履歴を記憶する記憶部を備え、前記制御部は、前記機能画像の選択を受け付けた場合に、前記記憶部に記憶された前記機能に対する前記操作履歴に基づき前記機能の設定を推定し、推定した当該設定に係る操作を前記タッチ領域の全体の任意の位置で検知する構成（第３の構成）であっても良い。
【００１０】
また、上記第１の構成の入力装置において、音声が入力される音声入力部と、前記音声入力部を介して取得した音声データを認識する音声認識部と、前記音声認識部が認識した音声データが前記機能に該当するか否かを判定する機能判定部と、を備え、前記制御部は、前記音声入力部から入力されて前記音声認識部が認識した音声が前記機能に該当することを前記機能判定部が判定した場合に、前記機能の設定に係る操作を前記タッチ領域の全体の任意の位置で検知する構成（第４の構成）であっても良い。
【００１１】
また、上記第１の構成の入力装置において、外部から機器の機能の実行に係る入力を受け付ける通信部を備え、前記制御部は、前記通信部を介して前記機能の実行に係る入力を受け付けた場合に、前記機能の設定に係る操作を前記タッチ領域の全体の任意の位置で検知する構成（第５の構成）であっても良い。
【００１２】
また、上記第１の構成の入力装置において、前記機能が周囲環境の状態変化に対応するための機能であって、周囲環境の状態変化に係る情報が入力される通信部を備え、前記制御部は、前記通信部を介して前記機能の実行に係る前記入力としての周囲環境の状態変化に係る情報を受け付けた場合に、前記機能の設定に係る操作を前記タッチ領域の全体の任意の位置で検知する構成（第６の構成）であっても良い。
【００１３】
また、上記第６の構成の入力装置において、前記制御部は、周囲環境の状態変化に係る情報を受け付けた場合に、当該情報を前記表示部に表示させ、前記機能の設定に係る操作を前記タッチ領域の全体の任意の位置で検知する構成（第７の構成）であっても良い。
【００１４】
また、上記第６の構成の入力装置において、音声を出力する音声出力部を備え、前記制御部は、周囲環境の状態変化に係る情報を受け付けた場合に、当該情報に係る音声を前記音声出力部から出力させ、前記機能の設定に係る操作を前記タッチ領域の全体の任意の位置で検知する構成（第８の構成）であっても良い。
【００１５】
また、上記第１〜第８の構成の入力装置において、前記制御部は、前記機能の実行に係る入力を受け付けた場合に、予め定めた所定期間の間、前記機能の設定に係る操作を前記タッチ領域の全体の任意の位置で検知する構成（第９の構成）であっても良い。
【００１６】
また、上記第１〜第９の構成の入力装置において、前記制御部は、前記タッチ領域の所定の第１方向に対するタッチ操作と、前記第１方向に交差する第２方向に対するタッチ操作と、を区別して認識し、各々の操作を個別の設定に係る入力として検知する構成（第１０の構成）であっても良い。
【００１７】
また、上記第１〜第９の構成の入力装置において、前記制御部は、前記タッチ領域の所定の第１方向に対するタッチ操作を前記機能の設定に係る入力として検知し、さらに前記第１方向に交差する第２方向に対するタッチ操作に応じて当該設定の変化率を異ならせる構成（第１１の構成）であっても良い。
【００１８】
また、本発明に係る入力方法は、機器の機能の実行及び設定に係る入力を受け付ける入力方法であって、前記機能の実行に係る入力を受け付ける工程と、実行に係る入力を受け付けた前記機能の設定に係る操作をタッチ操作部のタッチ領域の全体の任意の位置で検知する工程と、を含む構成（第１２の構成）である。
【００１９】
また、本発明に係る入力プログラムは、機器の機能の実行及び設定に係る入力を受け付ける入力プログラムであって、コンピュータに、前記機能の実行に係る入力を受け付ける処理と、実行に係る入力を受け付けた前記機能の設定に係る操作をタッチ操作部のタッチ領域の全体の任意の位置で検知する処理と、を実行させる構成（第１３の構成）である。
【発明の効果】
【００２０】
本発明の構成によれば、タッチ領域の全体を利用して機能の設定の入力を行うことができる。したがって、機器の機能の設定の入力時において操作ミスを抑制することが可能になる。
【図面の簡単な説明】
【００２１】
【図１】第１実施形態の入力装置の概略構成を示す図である。
【図２】第１実施形態の入力装置が搭載された車室の内部を後方から視た部分概略図である。
【図３】第１実施形態の入力装置による入力処理の流れの例を示すフローチャートである。
【図４】第１実施形態の入力装置の表示部における機能の選択状態を示す正面図である。
【図５】第１実施形態の入力装置の表示部における設定の入力状態を示す正面図である。
【図６】第１実施形態の入力装置の変形例の表示部における設定の入力状態を示す正面図である。
【図７】第２実施形態の入力装置の概略構成を示す図である。
【図８】第２実施形態の入力装置による入力処理の流れの例を示すフローチャートである。
【図９】第２実施形態の入力装置の表示部における機能の選択状態を示す正面図である。
【図１０】第２実施形態の入力装置の表示部における設定の入力状態を示す正面図である。
【図１１】第３実施形態の入力装置による入力処理の流れの例を示すフローチャートである。
【図１２】第４実施形態の入力装置の表示部における設定の入力状態を示す正面図である。
【図１３】第５実施形態の入力装置の表示部における設定の入力状態を示す正面図である。
【図１４】第６実施形態の入力装置の概略構成を示す図である。
【図１５】第６実施形態の入力装置が搭載された車室の内部を後方から視た部分概略図である。
【図１６】第７実施形態の入力装置の概略構成を示す図である。
【図１７】第８実施形態の入力装置の概略構成を示す図である。
【図１８】第８実施形態の入力装置が搭載された車室の内部を後方から視た部分概略図である。
【図１９】第９実施形態の入力装置の概略構成を示す図である。
【発明を実施するための形態】
【００２２】
以下、本発明の例示的な実施形態について、図面を参照しながら詳細に説明する。なお、本発明は以下の内容に限定されるものではない。
【００２３】
＜１．第１実施形態＞
＜１−１．入力装置の構成＞
図１は、第１実施形態の入力装置１の概略構成を示す図である。図２は、入力装置１が搭載された車室の内部を後方から視た部分概略図である。
【００２４】
入力装置１は、図１に示す表示部２、タッチ操作部３、制御部１０及び記憶部２０を備える。入力装置１は、例えば図２に示すように車両のダッシュボードの中央部であって、運転者が視認可能、且つ操作可能な位置に設けられる。入力装置１は車両に設けられたナビゲーション装置、オーディオ装置、テレビ装置といった機器の機能の実行及び設定に係る入力を受け付ける。
【００２５】
表示部２は、例えば液晶表示パネルで構成される。表示部２は入力装置１の表面に設けられ、その表示面（画面）が車両の車室内に臨む。表示部２は制御部１０からの指令を受信し、各種の情報を表示する。
【００２６】
タッチ操作部３は、例えば静電容量式のタッチパネルで構成される。タッチ操作部３はその表面であるタッチ領域がユーザーの手の指先等の被検出体でタッチされると、被検出体の検出位置に対応する電極の静電容量が変化する。これにより、タッチ操作部３はタッチ領域のタッチされた位置を検知し、その静電容量の変化を検出信号として出力する。タッチ操作部３の出力信号は制御部１０に送信される。
【００２７】
タッチ操作部３は表示部２の画面上に重ねて配置される。これにより、表示部２の画面の全体がタッチ操作部３のタッチ領域３ａとなる（図５参照）。
【００２８】
制御部１０は、図示しないＣＰＵ（Central Processing Unit）、ＲＡＭ（Random Access Memory）、ＲＯＭ（Read Only Memory）を備えるコンピュータである。制御部１０は記憶部２０に記憶されたプログラム２１に基づいてＣＰＵが演算処理を行い、入力装置１の全体を統括的に制御する。例えば、制御部１０はタッチ操作部３の出力に基づきタッチ領域３ａに対するタッチ操作を判定するとともに、表示部２の表示を切り替える。
【００２９】
制御部１０はプログラム２１に基づいてＣＰＵが演算処理を行うことで実現される機能の一部として、表示制御部１１及び操作判定部１２を備える。
【００３０】
表示制御部１１は表示部２の表示内容を制御する。表示制御部１１は、例えば機器の機能の実行及び設定に係る入力を受け付けるに際し、その機能に係る機能画像を表示部２に表示させる。なお、機能画像はナビゲーション装置、オーディオ装置、テレビ装置といった機器の各機能に対応する画像であって、例えばアイコン、ボタン、タブ、スライドバー、ソフトキー、チェックボックスなどから成る。ユーザーは表示部２に表示された機能画像をタッチ操作部３を介してタッチして選択することで、機器の機能の実行及び設定を行うことが可能になる。
【００３１】
操作判定部１２はタッチ操作部３が出力した検出信号を受信し、その検出信号に基づいてタッチ領域３ａに対する操作内容を判定する。操作判定部１２はタッチ領域３ａにおける位置情報に加えて、タップ、ドラッグ、フリックなどの操作を判定する。また、ドラッグ、フリックなどの移動を伴う操作である場合、その移動方向、移動量等についても判定する。
【００３２】
＜１−２．入力装置による入力処理＞
続いて、入力装置１による入力処理の流れについて説明する。図３は、入力装置１による入力処理の流れの例を示すフローチャートである。図４は、入力装置１の表示部２における機能の選択状態を示す正面図である。図５は、入力装置１の表示部２における設定の入力状態を示す正面図である。
【００３３】
例えば、車両に設けられたオーディオ装置のＣＤ（Compact Disk）再生が起動されると（図３の「開始」）、入力装置１では制御部１０が、図４に示すように表示部２にＣＤ再生の機能に係る機能画像であるアイコン等を表示させる（図３のステップＳ１１）。表示部２の画面には、例えば楽曲の再生に係るアイコン２ａ、楽曲の頭出しに係るアイコン２ｂ、楽曲の早送りに係るアイコン２ｃ、音量調整に係るアイコン２ｄが表示される。ユーザーはその手指Ｆで、これらのアイコンを任意に選択することができる。
【００３４】
次に、制御部１０は表示部２の画面上のアイコンに対して選択操作がなされたか否かを、タッチ操作部３及び操作判定部１２を介して検知する（図３のステップＳ１２）。表示部２の画面上のアイコンに対して選択操作がなされていない間、入力装置１は待機状態となる（ステップＳ１２のＮｏ）。
【００３５】
そして、表示部２の画面上の、いずれかのアイコンに対して選択操作がなされた場合（ステップＳ１２のＹｅｓ）、制御部１０は選択されたアイコンが引き続き設定を必要とする機能であるか否かを判定する（ステップＳ１３）。
【００３６】
例えば、音量調整に係るアイコン２ｄに対して選択操作がなされた場合（ステップＳ１３のＹｅｓ）、音量調整の設定が必要であるため、制御部１０は音量調整の設定に関して、タッチ操作部３のタッチ領域３ａを画面全体に指定する（ステップＳ１４）。すなわち、制御部１０は音量調整の実行に係る入力を受け付けた場合に、音量調整の設定に係る操作をタッチ領域３ａの全体の任意の位置で検知する。
【００３７】
このとき、制御部１０は例えば音量ＵＰに関して、タッチ操作部３のタッチ領域３ａの全体でユーザーによる操作を受け付ける。そして、図５に示すように、制御部１０は例えばユーザーの手指Ｆの、図５におけるタッチ操作部３のタッチ領域上の右方向への移動を音量ＵＰの実行に対応付ける。制御部１０はユーザーの手指Ｆの、タッチ領域上の左方向、上方向、下方向への移動を音量調整の実行条件として判定しない。
【００３８】
ユーザーの手指Ｆによる操作として、タッチ操作部３のタッチ領域上の右方向への移動を検知した場合（ステップＳ１５のＹｅｓ）、制御部１０は入力装置１によるオーディオ装置のＣＤ再生の機能に係る入力処理を終了する（図３の「終了」）。オーディオ装置に対しては音量ＵＰの指令が送信される。
【００３９】
一方、ステップＳ１３において、引き続き設定を必要としない機能に係るアイコン、例えば楽曲の再生に係るアイコン２ａ、楽曲の頭出しに係るアイコン２ｂまたは楽曲の早送りに係るアイコン２ｃに対して選択操作がなされた場合（ステップＳ１３のＮｏ）、制御部１０は入力装置１によるオーディオ装置のＣＤ再生の機能に係る入力処理を終了する（図３の「終了」）。オーディオ装置に対しては楽曲の再生、頭出しまたは早送りの指令が送信される。
【００４０】
なお、ユーザーの手指Ｆの、タッチ領域上の右方向への移動量に応じて、音量ＵＰの調整量を規定しても良い。すなわち、手指Ｆの移動量が比較的長い場合には音量の上昇値を大きくし、手指Ｆの移動量が比較的短い場合には音量の上昇値を小さくすることにしても良い。
【００４１】
上記第１実施形態のように、入力装置１は、制御部１０がオーディオ装置の音量調整の実行に係る入力を受け付けた場合に、音量調整の設定に係る操作をタッチ操作部３のタッチ領域３ａの全体の任意の位置で検知する。これにより、ユーザーはタッチ操作部３のタッチ領域３ａの全体を利用して、オーディオ装置の音量調整の設定の入力を行うことができる。したがって、オーディオ装置の音量調整の設定の入力時において操作ミスを抑制することが可能になる。
【００４２】
また、上記構成の入力装置１は、表示部２がオーディオ装置の機能である音量調整に係るアイコン２ｄを画面に表示する。そして、制御部１０は音量調整の実行に係る入力としてアイコン２ｄの選択を受け付けた場合に、アイコン２ｄに対応する音量調整の設定に係る操作をタッチ操作部３のタッチ領域３ａの全体の任意の位置で検知する。これにより、入力装置１は表示部２の画面に表示したアイコン（機能画像）に対するユーザーの選択によって機能の設定に係る入力を受け付ける場合に、タッチ操作部３のタッチ領域３ａの全体を利用して機能の設定の入力を行うことができるようになる。したがって、表示部２の画面に表示したアイコン（機能画像）が選択されることで機能の実行及び設定を行う機器において、入力時の操作ミスを抑制することが可能になる。
【００４３】
＜１−３．第１実施形態の入力装置の変形例＞
続いて、入力装置１の変形例について説明する。図６は、入力装置１の変形例の表示部２における設定の入力状態を示す正面図である。
【００４４】
制御部１０は音量調整の設定に係る操作をタッチ操作部３のタッチ領域３ａの全体の任意の位置で検知する場合に、例えば図６に示すように音量ＵＰ及び音量ＤＯＷＮに関して、タッチ領域３ａの全体でユーザーによる操作を受け付ける。そして、制御部１０は例えばユーザーの手指Ｆの、図６におけるタッチ操作部３のタッチ領域上の右方向への移動を音量ＵＰの実行に対応付け、左方向への移動を音量ＤＯＷＮの実行に対応付ける。
【００４５】
これにより、ユーザーはタッチ操作部３のタッチ領域３ａの全体を利用して、例えばオーディオ装置の音量調整において音量ＵＰ及び音量ＤＯＷＮの、２つの設定の入力を行うことができる。したがって、入力時の操作ミスの抑制に加えて、オーディオ装置に対する操作性を向上させることが可能になる。
【００４６】
＜２．第２実施形態＞
次に、第２実施形態について説明する。図７は、入力装置１の概略構成を示す図である。図８は、入力装置１による入力処理の流れの例を示すフローチャートである。図９は、入力装置１の表示部２における機能の選択状態を示す正面図である。図１０は、入力装置１の表示部２における設定の入力状態を示す正面図である。なお、第２実施形態の基本的な構成は先に説明した第１実施形態と同じであるので、第１実施形態と異なる構成要素については以下で説明し、第１実施形態と共通する構成要素については詳細な説明を省略する。
【００４７】
第２実施形態の入力装置１は記憶部２０が、図７に示すように機能に対する操作履歴２２を記憶する。記憶部２０には、例えばオーディオ装置のラジオ放送受信、ＣＤ及びメモリーカードの楽曲再生に係る機能各々に対して操作履歴２２が記憶される。
【００４８】
オーディオ装置が起動されると（図８の「開始」）、入力装置１では制御部１０が、図９に示すように表示部２にオーディオ装置の機能に係る機能画像であるアイコン等を表示させる（図８のステップＳ２１）。表示部２の画面には、例えばラジオ放送受信に係るアイコン２ｅ、ＣＤの楽曲再生に係るアイコン２ｆ、メモリーカードの楽曲再生に係るアイコン２ｇが表示される。なお、以下の説明において、「ＣＤの楽曲再生」を単に「ＣＤ再生」と称する。
【００４９】
そして、例えば表示部２の画面上のＣＤ再生に係るアイコン２ｆに対して選択操作がなされた場合（ステップＳ２２のＹｅｓ）、制御部１０は記憶部２０に記憶された操作履歴２２に基づきユーザーによる次の操作を推定する。すなわち、制御部１０はＣＤ再生に係るアイコン２ｆの選択を受け付けた場合に、記憶部２２に記憶されたＣＤ再生に対する操作履歴２２に基づきＣＤ再生の設定を推定する（ステップＳ２３）。ここで、操作履歴２２に基づき、ＣＤ再生の設定として例えば「音量調整」が推定されたものとする。
【００５０】
次に、制御部１０は、ステップＳ２３で推定された音量調整に関して、図１０に示すようにタッチ操作部３のタッチ領域３ａを画面全体に指定する（ステップＳ２４）。すなわち、制御部１０は音量調整に係る操作をタッチ領域３ａの全体の任意の位置で検知する。
【００５１】
なお、制御部１０は、ステップＳ２３で推定した操作を音声または表示によってユーザーに通知し、音声認識または承認／否認ボタンへのタッチ操作によるユーザーの確認を待ってステップＳ２４に移行するようにしても良い。このとき、ステップＳ２３で推定した操作が、ユーザーが意図する操作でない場合はユーザーによって否認されるため、制御部１０は図４に示す画面表示を行うようにすれば良い。
【００５２】
上記第２実施形態の構成によれば、第１実施形態で説明した図４に示すＣＤ再生の設定画面の表示を省略することができる。したがって、入力時の操作ミスの抑制に加えて、オーディオ装置に対する操作性をより一層向上させることが可能になる。
【００５３】
＜３．第３実施形態＞
次に、第３実施形態について説明する。図１１は、入力装置１による入力処理の流れの例を示すフローチャートである。なお、第３実施形態の基本的な構成は先に説明した第１実施形態と同じであるので、第１実施形態と異なる構成要素については以下で説明し、第１実施形態と共通する構成要素については詳細な説明を省略する。
【００５４】
第３実施形態の入力装置１では、例えばオーディオ装置が起動され（図１１の「開始」）、表示部２にＣＤ再生の機能に係る機能画像であるアイコン等（図４参照）が表示される（図１１のステップＳ３１）。続いて、表示部２の画面上のアイコンのうち、引き続き設定を必要とする機能である音量調整に係るアイコン２ｄに対して選択操作がなされた場合（ステップＳ３３のＹｅｓ）、制御部１０はタッチ操作部３のタッチ領域３ａを画面全体に指定する（ステップＳ３４）。
【００５５】
そして、タッチ操作部３のタッチ領域３ａに対する操作を検知しない場合（ステップＳ３５のＮｏ）、制御部１０は予め定めた所定期間を経過したか否かを判定する（ステップＳ３６）。ここで、この所定期間としては例えば１０秒が設定され、記憶部２０に予め記憶される。この所定期間の間、入力装置１は待機状態となる（ステップＳ３６のＮｏ）。
【００５６】
タッチ領域３ａに対する操作を検知せず、所定期間が経過した場合（ステップＳ３６のＹｅｓ）、制御部１０はステップＳ３１に戻って、表示部２にオーディオ装置のＣＤ再生の機能に係る機能画像であるアイコン等を表示させる。また、ステップＳ３１に戻ることに代えて、音量調整における音量ＵＰ、音量ＤＯＷＮ等のアイコンを表示部２に表示させても良い。
【００５７】
上記第３実施形態のように、入力装置１の制御部１０は、オーディオ装置の音量調整の実行に係る入力としてアイコン２ｄの選択を受け付けた場合に、予め定めた所定期間（例えば１０秒）の間、音量調整の設定に係る操作をタッチ操作部３のタッチ領域３ａの全体の任意の位置で検知する。これにより、ユーザーが音量調整に係るアイコン２ｄを選択してから所定期間の間のみ、音量調整の設定に係る操作をタッチ領域３ａの全体で行うことができる。したがって、操作をタッチ領域３ａの全体で行うことができる状態が長期化することを防止することができ、その間の誤操作の発生を抑制することが可能になる。
【００５８】
＜４．第４実施形態＞
次に、第４実施形態について説明する。図１２は、入力装置１の表示部２における設定の入力状態を示す正面図である。なお、第４実施形態の基本的な構成は先に説明した第１実施形態と同じであるので、第１実施形態と異なる構成要素については以下で説明し、第１実施形態と共通する構成要素については詳細な説明を省略する。
【００５９】
第４実施形態の入力装置１では、ユーザーによる操作をタッチ操作部３のタッチ領域３ａの全体の任意の位置で検知する場合に、制御部１０がタッチ領域３ａの所定の第１方向に対するタッチ操作と、第１方向に交差する第２方向に対するタッチ操作と、を区別して認識し、各々の操作を個別の設定に係る入力として検知する。
【００６０】
例えば、制御部１０は、図１２に示すようにタッチ領域の左右方向（第１方向）に対するタッチ操作をラジオ放送またはＴＶ放送の視聴におけるチャンネル（ｃｈ）ＵＰ、チャンネル（ｃｈ）ＤＯＷＮの入力として検知する。そして、制御部１０は、左右方向に交差する上下方向（第２方向）に対するタッチ操作を音量ＵＰ、音量ＤＯＷＮの入力として検知する。
【００６１】
上記第４実施形態の構成によれば、ユーザーはタッチ操作部３のタッチ領域３ａの全体を利用して、例えばラジオ放送またはＴＶ放送の視聴においてチャンネル、音量に係る４つの設定の入力を行うことができる。したがって、入力時の操作ミスの抑制に加えて、オーディオ装置、テレビ装置に対する操作性をより一層向上させることが可能になる。
【００６２】
なお、上記第４実施形態において、タッチ領域の左右方向（第１方向）に対するタッチ操作をチャンネル（ｃｈ）ＵＰのみの入力として検知し、上下方向（第２方向）に対するタッチ操作を音量ＵＰのみの入力として検知することにしても良い。
【００６３】
＜５．第５実施形態＞
次に、第５実施形態について説明する。図１３は、入力装置１の表示部２における設定の入力状態を示す正面図である。なお、第５実施形態の基本的な構成は先に説明した第１実施形態と同じであるので、第１実施形態と異なる構成要素については以下で説明し、第１実施形態と共通する構成要素については詳細な説明を省略する。
【００６４】
第５実施形態の入力装置１では、ユーザーによる操作をタッチ操作部３のタッチ領域３ａの全体の任意の位置で検知する場合に、制御部１０がタッチ領域３ａの所定の第１方向に対するタッチ操作を機器の機能の設定に係る入力として検知する。さらに、制御部１０は第１方向に交差する第２方向に対するタッチ操作に応じて当該設定の変化率を異ならせる。
【００６５】
例えば、制御部１０は、図１３に示すようにタッチ領域の左右方向（第１方向）に対するタッチ操作をオーディオ装置における音量ＵＰの入力として検知する。さらに、制御部１０は左右方向に交差する上下方向（第２方向）に対するタッチ操作に応じて、音量ＵＰの変化率を異ならせる。
【００６６】
具体的に言えば、制御部１０は例えばユーザーの手指Ｆの、図１３におけるタッチ操作部３のタッチ領域上の右方向への移動を音量ＵＰの実行に対応付ける。このとき、音量は予め定めた所定の変化率で上昇する。そして、ユーザーが手指Ｆをタッチ領域３ａの上方に向けて移動させた場合（図１３の矢印Ａ１）、音量ＵＰの変化率がさらに大きくなる。続いて、ユーザーが手指Ｆをタッチ領域３ａの下方に向けて移動させた場合（図１３の矢印Ａ２）、音量ＵＰの変化率が小さくなる。
【００６７】
上記第５実施形態の構成によれば、ユーザーはタッチ操作部３のタッチ領域３ａの全体を利用して、例えばオーディオ装置等の音量調整において所望の音量に迅速に近づけることができ、さらに調整の最終段階で微調整を行うことが可能になる。
【００６８】
＜６．第６実施形態＞
次に、第６実施形態について説明する。図１４は、入力装置１の概略構成を示す図である。図１５は、入力装置１が搭載された車室の内部を後方から視た部分概略図である。なお、第６実施形態の基本的な構成は先に説明した第１実施形態と同じであるので、第１実施形態と異なる構成要素については以下で説明し、第１実施形態と共通する構成要素については詳細な説明を省略する。
【００６９】
第６実施形態の入力装置１は、図１４に示すタッチ操作部３及び表示部２を備える。タッチ操作部３は、図１５に示すように車両の運転席Ｕ１と助手席Ｕ２との間であって、運転者が操作可能な位置に設けられる。表示部２は、図１５に示すように車両のダッシュボードの中央部であって、運転者が視認可能な位置に設けられる。タッチ操作部３のタッチ領域上の位置は、タッチ操作部３に対して離隔する表示部２の画面上の位置に対応付けられる。
【００７０】
第６実施形態の構成のように、表示部２に対してタッチ操作部３が離隔して運転席Ｕ１の近くに設けられると、ユーザーは運転姿勢のままでタッチ操作部３のタッチ領域３ａの全体を利用して入力を行うことができる。
【００７１】
＜７．第７実施形態＞
次に、第７実施形態について説明する。図１６は、入力装置１の概略構成を示す図である。なお、第７実施形態の基本的な構成は先に説明した第１実施形態と同じであるので、第１実施形態と異なる構成要素については以下で説明し、第１実施形態と共通する構成要素については詳細な説明を省略する。
【００７２】
第７実施形態の入力装置１は、図１６に示す音声入力部４及び制御部１０を備える。音声入力部４は、例えばマイクで構成され、ユーザーが発する音声が入力される。音声入力部４は入力された音声を表す音声データを制御部１０に送信する。制御部１０はプログラム２１に基づいてＣＰＵが演算処理を行うことで実現される機能の一部として、音声認識部１３及び機能判定部１４を備える。
【００７３】
音声認識部１３は音声入力部４を介して取得した音声データを用いて音声認識処理を実行する。音声認識処理では、音声入力部４を介して取得した音声データと、図示しない音声認識用の辞書に記録された音声データとを比較することで音声が認識される。音声認識部１３は音声認識処理の結果として、ユーザーが発した音声を表す文字列（テキスト）に変換する。
【００７４】
機能判定部１４は音声認識処理の結果である音声を表す文字列が、ナビゲーション装置、オーディオ装置、テレビ装置等の機器の機能に該当するか否かを判定する。
【００７５】
そして、制御部１０は、音声入力部４から入力されて音声認識部１３が認識した音声がナビゲーション装置等の機器の機能に該当することを機能判定部１４が判定した場合に、当該機能の設定に係る操作をタッチ操作部３のタッチ領域３ａの全体の任意の位置で検知する。これにより、ユーザーが発する音声によって機器の機能の実行に係る入力を受け付ける場合においても、タッチ操作部３のタッチ領域３ａの全体を利用して機能の設定に係る入力を行うことが可能になる。
【００７６】
＜８．第８実施形態＞
次に、第８実施形態について説明する。図１７は、入力装置１の概略構成を示す図である。図１８は、入力装置１が搭載された車室の内部を後方から視た部分概略図である。なお、第８実施形態の基本的な構成は先に説明した第１実施形態と同じであるので、第１実施形態と異なる構成要素については以下で説明し、第１実施形態と共通する構成要素については詳細な説明を省略する。
【００７７】
第８実施形態の入力装置１は、図１７に示す通信部５を備える。通信部５は入力装置１の外部から機器の機能の実行に係る入力を受け付ける。通信部５は、例えば図１７及び図１８に示すエアコンスイッチ１０１からエアコンの機能の実行に係る入力を受け付ける。
【００７８】
そして、制御部１０は、例えば通信部５を介してエアコンの温度調整の実行に係る入力を受け付けた場合に、エアコンの温度調整の設定に係る操作をタッチ操作部３のタッチ領域３ａの全体の任意の位置で検知する。このとき、制御部１０は例えば温度ＵＰに関して、タッチ操作部３のタッチ領域３ａの全体でユーザーによる操作を受け付ける。タッチ領域３ａの全体を利用して受け付けたユーザーの操作内容は通信部５を介してエアコンに送信される。
【００７９】
第８実施形態の構成によれば、入力装置１の外部から機器の機能の実行に係る入力を受け付ける場合においても、タッチ操作部３のタッチ領域３ａの全体を利用して機能の設定に係る入力を行うことが可能になる。
【００８０】
＜９．第９実施形態＞
次に、第９実施形態について説明する。図１９は、入力装置１の概略構成を示す図である。なお、第９実施形態の基本的な構成は先に説明した第１実施形態と同じであるので、第１実施形態と異なる構成要素については以下で説明し、第１実施形態と共通する構成要素については詳細な説明を省略する。
【００８１】
第９実施形態の入力装置１は、図１９に示す通信部５を備える。通信部５は入力装置１の外部の、例えば車両に設けられた温度検出部１０２及び放送受信部１０３から入力を受け付ける。
【００８２】
ここで、入力装置１は周囲環境の状態変化に対応するための機能に関して、その機能の実行及び設定に係る入力を受け付ける。具体的に言えば、例えば周囲環境の状態変化が車室内の温度変化であって、これに対応するための機能がエアコンの温度調整である。また、例えば周囲環境の状態変化がテレビ装置等の放送電波の受信感度の変化であって、これに対応するための機能がテレビ装置等の受信局の切替である。
【００８３】
温度検出部１０２は車両の車室内の温度を検知するとともに、検知した車室内の温度について設定値に対して差異が生じたか否かを判定する。そして、温度検出部１０２は車室内の温度変化に係る情報を入力装置１に対して出力する。入力装置１には車室内の温度変化に係る情報が通信部５を介して入力される。このとき、温度検出部１０２が音声、表示、発光等によって車室内の温度変化をユーザーに報知する場合がある。
【００８４】
放送受信部１０３はテレビ等の放送電波の受信感度を検知するとともに、検知した放送電波の受信感度について設定値に対して差異が生じたか否かを判定する。そして、放送受信部１０３は放送電波の受信感度の変化に係る情報を入力装置１に対して出力する。入力装置１には放送電波の受信感度の変化に係る情報が通信部５を介して入力される。このとき、放送受信部１０３が音声、表示、発光等によって放送電波の受信感度の変化をユーザーに報知する場合がある。
【００８５】
そして、制御部１０は、通信部５を介してエアコンの温度調整の実行に係る入力としての車室内の温度変化に係る情報を受け付けた場合に、エアコンの温度調整の設定に係る操作をタッチ操作部３のタッチ領域３ａの全体の任意の位置で検知する。このとき、例えば入力装置１が車室内の温度上昇に係る情報を温度検出部１０２から受け付けた場合に、制御部１０は例えば温度ＤＯＷＮに関して、タッチ操作部３のタッチ領域３ａの全体でユーザーによる操作を受け付ける。タッチ領域３ａの全体を利用して受け付けたユーザーの操作内容は通信部５を介してエアコンに送信される。
【００８６】
また、制御部１０は、通信部５を介してテレビ装置等の受信局の切替の実行に係る入力としての放送電波の受信感度の変化に係る情報を受け付けた場合に、テレビ装置等の受信局の切替の設定に係る操作をタッチ操作部３のタッチ領域３ａの全体の任意の位置で検知する。このとき、例えば入力装置１が放送電波の受信感度低下に係る情報を放送受信部１０３から受け付けた場合に、制御部１０は受信局の切替に関して、タッチ操作部３のタッチ領域３ａの全体でユーザーによる操作を受け付ける。タッチ領域３ａの全体を利用して受け付けたユーザーの操作内容は通信部５を介してテレビ装置等に送信される。
【００８７】
第９実施形態の構成によれば、入力装置１の外部から、周囲環境の状態変化に対応するための機器の機能の実行に係る入力として周囲環境の状態変化に係る情報を受け付ける場合においても、タッチ操作部３のタッチ領域３ａの全体を利用して機能の設定に係る入力を行うことが可能になる。
【００８８】
＜９−１．第９実施形態の入力装置の変形例＞
第９実施形態の構成において、制御部１０が、周囲環境の状態変化に係る情報を受け付けた場合に、当該情報を表示部２に表示させ、機器の機能の設定に係る操作をタッチ操作部３のタッチ領域３ａの全体の任意の位置で検知することにしても良い。これにより、ユーザーは周囲環境の状態変化、例えば車室内の温度上昇や放送電波の受信感度低下を表示によって認識することができ、続いてタッチ操作部３のタッチ領域３ａの全体を利用して機能の設定に係る入力を行うことが可能である。
【００８９】
また、第９実施形態の構成において、入力装置１は、例えばスピーカーで構成され、音声を出力する音声出力部６を備える。そして、制御部１０は、周囲環境の状態変化に係る情報を受け付けた場合に、当該情報に係る音声を音声出力部６から出力させ、機器の機能の設定に係る操作をタッチ操作部３のタッチ領域３ａの全体の任意の位置で検知することにしても良い。これにより、ユーザーは周囲環境の状態変化、例えば車室内の温度上昇や放送電波の受信感度低下を音声によって認識することができ、続いてタッチ操作部３のタッチ領域３ａの全体を利用して機能の設定に係る入力を行うことが可能である。
【００９０】
＜１０．変形例＞
以上、本発明の実施形態について説明したが、この発明は上記の実施形態に限定されるものではなく、様々な変形が可能である。以下では、上記実施形態の全体に係る変形例について説明する。なお、上記実施形態の全ての要素と、以下で説明する形態の全ての要素とは、適宜組み合わせて実施することができる。
【００９１】
上記実施形態では、入力装置１が車載装置であることとしたが、入力装置は家庭やオフィス、商店等で使用される装置であっても良い。また、入力装置は、プログラムを実行することで入力装置として機能するコンピュータであっても良い。このコンピュータとしては、携帯電話やスマートフォン、タブレット端末などの可搬性装置を含む。
【００９２】
また、上記実施形態において、入力装置１は、機能の実行及び設定に係る入力を受け付ける機器として、ナビゲーション装置、オーディオ装置、テレビ装置、エアコン等を対象としたが、入力を受け付ける機器はこれらに限定されるわけではない。同様に、タッチ領域の全体の任意の位置で検知する機能が音量調整や温度調整に限定されるわけではない。
【００９３】
一方、タッチ領域の全体の任意の位置で検知する機能を、特定の機能に、例えば音量調整に限定しても良い。この限定される機能は、ユーザーが任意に選択することができる。これにより、例えば操作履歴に基づき機能の設定を推定する場合に、推定の精度が向上する。
【００９４】
また、上記実施形態では、プログラムに従ったＣＰＵの演算処理によってソフトウェア的に各種の機能が実現されていると説明したが、これらの機能のうちの一部は電気的なハードウェア回路によって実現されても良い。また逆に、ハードウェア回路によって実現されるとした機能のうちの一部は、ソフトウェア的に実現されても良い。
【符号の説明】
【００９５】
１    入力装置
２    表示部
２ａ、２ｂ、２ｃ、２ｄ、２ｅ、２ｆ、２ｇ    アイコン（機能画像）
３    タッチ操作部
３ａ    タッチ領域
４    音声入力部
５    通信部
６    音声出力部
１０    制御部
１３    音声認識部
１４    機能判定部
２０    記憶部
【図１】
2018124874.tif 000003
【図２】
2018124874.tif 000004
【図３】
2018124874.tif 000005
【図４】
2018124874.tif 000006
【図５】
2018124874.tif 000007
【図６】
2018124874.tif 000008
【図７】
2018124874.tif 000009
【図８】
2018124874.tif 000010
【図９】
2018124874.tif 000011
【図１０】
2018124874.tif 000012
【図１１】
2018124874.tif 000013
【図１２】
2018124874.tif 000014
【図１３】
2018124874.tif 000015
【図１４】
2018124874.tif 000016
【図１５】
2018124874.tif 000017
【図１６】
2018124874.tif 000018
【図１７】
2018124874.tif 000019
【図１８】
2018124874.tif 000020
【図１９】
2018124874.tif 000021